【事件の表示】
　特許第３２１４６５９号「電気掃除機」の請求項１、２に係る特許に対する特許異議の申立てについて、次のとおり決定する。
【結　論】
　訂正を認める。
　特許第３２１４６５９号の請求項１ないし２に係る特許を維持する。
【理　由】
１．訂正の適否
（１）訂正の内容
　平成１５年５月２８日付け訂正請求書において（平成１４年９月１３日付け訂正請求書は取り下げられた。）、特許権者が求めている訂正の内容は以下ａ〜ｊのとおりである。
ア．訂正事項ａ
　特許請求の範囲の請求項１の記載について、「電動送風機を収容する電動送風機室と、
　この電動送風機室の負圧側に連通孔を介して気密に連通して設けられ吸込口から吸い込んだ塵埃を捕捉する集塵袋が装着される集塵室と、
　この集塵室と前記電動送風機室との間に設けられ０．３μｍ以上０．５μｍ以下の塵埃を６０％以上９０％以下の割合で捕捉可能な帯電繊維を含む高性能フィルタと、
　この高性能フィルタを電動送風機室と集塵室との間に装着する枠体と、
　前記高性能フィルタまたは前記枠体のいずれか一方に連通孔に対向して下流側に設けられた気密部材と
　を具備したことを特徴とするの電気掃除機。」とあるのを、「電動送風機を収容する電動送風機室と、
　
連通孔を有する隔壁と、
　
前記
前記
　この集塵室と前記電動送風機室との間に設けられ０．３μｍ以上０．５μｍ以下の塵埃を６０％以上９０％以下の割合で捕捉可能な帯電繊維を含む高性能フィルタと、
　この高性能フィルタを電動送風機室と集塵室との間
の前記隔壁
　前記高性能フィルタまたは前記枠体のいずれか一方に
前記隔壁の
の周縁
、
　
前記電動送風機から空気が排気される排気室と、
　
この排気室に配設され０．３μｍ以上０．５μｍ以下の塵埃を捕捉可能なもので前記高性能フィルタより低い捕捉性の高性能フィルタと
　を具備したことを特徴とす
る電
イ．訂正事項ｂ
　特許請求の範囲の請求項２の記載について、「高性能フィルタは、ポリプロピレンにて形成され、周縁に紙製の補強枠が設けられた
　ことを特徴とする請求項１記載の電気掃除機。」とあるのを、「
集塵室と電動送風機室との間に設けられた
　ことを特徴とする請求項１記載の電気掃除機。」と訂正する。
ウ．訂正事項ｃ
　特許請求の範囲の請求項３の記載について、「電動送風機室の負圧側に配設され負圧を検知する圧力センサと、
　この圧力センサにて検知された圧力に対応して電動送風機の駆動を制御するとともに高性能フィルタの目詰まり状態を検知する制御手段と
　を具備したことを特徴とする請求項１または２記載の電気掃除機。」とあるのを、「
電動送風機を収容する電動送風機室と、
　
この電動送風機室の負圧側に連通孔を介して気密に連通して設けられ吸込口から吸い込んだ塵埃を捕捉する集塵袋が装着される集塵室と、
　
この集塵室と前記電動送風機室との間に設けられ０．３μｍ以上０．５μｍ以下の塵埃を６０％以上９０％以下の割合で捕捉可能な帯電繊維を含む高性能フィルタと、
　
この高性能フィルタを電動送風機室と集塵室との間に装着する枠体と、
　
前記高性能フィルタまたは前記枠体のいずれか一方に連通孔に対向して下流側に設けられた気密部材と、
　
前記
　この圧力センサにて検知された圧力に対応して
前記
前記
　を具備したことを特徴とす
る電
エ．訂正事項ｄ
　特許請求の範囲の請求項４の記載について、「電動送風機室の正圧側に設けられ外方に連通する排気孔を有した排気室と、
　前記排気室内に排気孔を覆って０．３μｍ以上０．５μｍ以下の塵埃を６０％以上９０％以下の割合で捕捉可能な帯電繊維を含む高性能フィルタと
　を具備したことを特徴とする請求項１ないし３いずれか記載の電気掃除機。」とあるのを、「　
電動送風機を収容する電動送風機室と、
　
この電動送風機室の負圧側に連通孔を介して気密に連通して設けられ吸込口から吸い込んだ塵埃を捕捉する集塵袋が装着される集塵室と、
　
この集塵室と前記電動送風機室との間に設けられ０．３μｍ以上０．５μｍ以下の塵埃を６０％以上９０％以下の割合で捕捉可能な帯電繊維を含む高性能フィルタと、
　
この高性能フィルタを電動送風機室と集塵室との間に装着する枠体と、
　
前記高性能フィルタまたは前記枠体のいずれか一方に連通孔に対向して下流側に設けられた気密部材と、
　
前記
　前記排気室内に排気孔を覆って０．３μｍ以上０．５μｍ以下の塵埃を６０％以上９０％以下の割合で捕捉可能な帯電繊維を含む高性能フィルタと
　を具備したことを特徴とす
る電
オ．訂正事項ｅ
　明細書の段落【０００６】の記載について、「【課題を解決するための手段】　請求項１記載の電気掃除機は、電動送風機を収容する電動送風機室と、この電動送風機室の負圧側に連通孔を介して気密に連通して設けられ吸込口から吸い込んだ塵埃を捕捉する集塵袋が装着される集塵室と、この集塵室と前記電動送風機室との間に設けられ０．３μｍ以上０．５μｍ以下の塵埃を６０％以上９０％以下の割合で捕捉可能な帯電繊維を含む高性能フィルタと、この高性能フィルタを電動送風機室と集塵室との間に装着する枠体と、前記高性能フィルタまたは前記枠体のいずれか一方に連通孔に対向して下流側に設けられた気密部材とを具備したもので、電動送風機の負圧側に高性能フィルタを設けたため、吸込口から吸い込まれ集塵室内の集塵袋を通過した微細な塵埃を含む空気は確実に高性能フィルタを流通するため、高性能フィルタを介さず、例えばケース体の繋ぎ目や電源コードが挿通されるコード口などから排気されることがなく集塵効率が向上する。そして、高性能フィルタは帯電繊維を含んでいるため、集塵性能が高く、０．３μｍ以上０．５μｍ以下の塵埃を６０％以上９０％以下の割合で捕捉できる高性能フィルタを用いても吸引効率の低下が少なく、掃除効率が向上する。また、０．３μｍ以上０．５μｍ以下の塵埃の捕捉性が６０％より低いと、電動送風機室から排気室を介して外部に排出される塵埃が増大し、９０％より高いと吸引効率の低下が著しくなり掃除効率が低下するため、０．３μｍ以上０．５μｍ以下の塵埃の捕捉性は、６０％以上９０％以下の割合に設定される。また、高性能フィルタの装着が容易となるとともに、電動送風機の負圧により高性能フィルタが気密部材を挟むように連通孔に向けて密着し、確実に集塵室からの空気が高性能フィルタを通過して、集塵効率が向上する。」とあるのを、「【課題を解決するための手段】　請求項１記載の電気掃除機は、電動送風機を収容する電動送風機室と、
連通孔を有する隔壁と、前記
前記
の前記隔壁
前記隔壁の
の周縁
、前記電動送風機から空気が排気される排気室と、この排気室に配設され０．３μｍ以上０．５μｍ以下の塵埃を捕捉可能なもので前記高性能フィルタより低い捕捉性の高性能フィルタと
カ．訂正事項ｆ
　明細書の段落【０００７】の記載について、「請求項２記載の電気掃除機は、請求項１記載の電気掃除機において、高性能フィルタは、ポリプロピレンにて形成され、周縁に紙製の補強枠が設けられたもので、高性能フィルタの着脱が補強枠により容易となり、高性能フィルタの寿命後は、枠体から取り外して焼却による処分が可能となる。」とあるのを、「請求項２記載の電気掃除機は、請求項１記載の電気掃除機において、
集塵室と電動送風機室との間に設けられた
キ．訂正事項ｇ
　明細書の段落【０００８】の記載について、「請求項３記載の電気掃除機は、請求項１または２記載の電気掃除機において、電動送風機室の負圧側に配設され負圧を検知する圧力センサと、この圧力センサにて検知された圧力に対応して電動送風機の駆動を制御するとともに高性能フィルタの目詰まり状態を検知する制御手段とを具備したもので、電動送風機の負圧側に配設した圧力センサによる負圧の検知にて、制御手段が電動送風機の駆動を制御するとともに高性能フィルタの目詰まり状態を検知するため、例えばごみ詰まりや集塵袋がいっぱいとなったり目詰まりなどを判断でき、適宜電動送風機の駆動を制御することにより掃除効率が向上する。」とあるのを、「請求項３記載の電気掃除機は、
電動送風機を収容する電動送風機室と、この電動送風機室の負圧側に連通孔を介して気密に連通して設けられ吸込口から吸い込んだ塵埃を捕捉する集塵袋が装着される集塵室と、この集塵室と前記電動送風機室との間に設けられ０．３μｍ以上０．５μｍ以下の塵埃を６０％以上９０％以下の割合で捕捉可能な帯電繊維を含む高性能フィルタと、この高性能フィルタを電動送風機室と集塵室との間に装着する枠体と、前記高性能フィルタまたは前記枠体のいずれか一方に連通孔に対向して下流側に設けられた気密部材と、前記
前記
前記
電動送風機の負圧側に高性能フィルタを設けたため、吸込口から吸い込まれ集塵室内の集塵袋を通過した微細な塵埃を含む空気は確実に高性能フィルタを流通するため、高性能フィルタを介さず、例えばケース体の繋ぎ目や電源コードが挿通されるコード口などから排気されることがなく集塵効率が向上する。そして、高性能フィルタは帯電繊維を含んでいるため、集塵性能が高く、０．３μｍ以上０．５μｍ以下の塵埃を６０％以上９０％以下の割合で捕捉できる高性能フィルタを用いても吸引効率の低下が少なく、掃除効率が向上する。また、０．３μｍ以上０．５μｍ以下の塵埃の捕捉性が６０％より低いと、電動送風機室から排気室を介して外部に排出される塵埃が増大し、９０％より高いと吸引効率の低下が著しくなり掃除効率が低下するため、０．３μｍ以上０．５μｍ以下の塵埃の捕捉性は、６０％以上９０％以下の割合に設定される。また、高性能フィルタの装着が容易となるとともに、電動送風機の負圧により高性能フィルタが気密部材を挟むように連通孔に向けて密着し、確実に集塵室からの空気が高性能フィルタを通過して、集塵効率が向上する。また、
ク．訂正事項ｈ
　明細書の段落【０００９】の記載について、「請求項４記載の電気掃除機は、請求項１ないし３いずれか記載の電気掃除機において、電動送風機室の正圧側に設けられ外方に連通する排気孔を有した排気室と、前記排気室内に排気孔を覆って０．３μｍ以上０．５μｍ以下の塵埃を６０％以上９０％以下の割合で捕捉可能な帯電繊維を含む高性能フィルタとを具備したもので、電動送風機の正圧側にも高性能フィルタを配設するため、さらに集塵効率が向上する。」とあるのを、「請求項４記載の電気掃除機は、
電動送風機を収容する電動送風機室と、この電動送風機室の負圧側に連通孔を介して気密に連通して設けられ吸込口から吸い込んだ塵埃を捕捉する集塵袋が装着される集塵室と、この集塵室と前記電動送風機室との間に設けられ０．３μｍ以上０．５μｍ以下の塵埃を６０％以上９０％以下の割合で捕捉可能な帯電繊維を含む高性能フィルタと、この高性能フィルタを電動送風機室と集塵室との間に装着する枠体と、前記高性能フィルタまたは前記枠体のいずれか一方に連通孔に対向して下流側に設けられた気密部材と、前記
電動送風機の負圧側に高性能フィルタを設けたため、吸込口から吸い込まれ集塵室内の集塵袋を通過した微細な塵埃を含む空気は確実に高性能フィルタを流通するため、高性能フィルタを介さず、例えばケース体の繋ぎ目や電源コードが挿通されるコード口などから排気されることがなく集塵効率が向上する。そして、高性能フィルタは帯電繊維を含んでいるため、集塵性能が高く、０．３μｍ以上０．５μｍ以下の塵埃を６０％以上９０％以下の割合で捕捉できる高性能フィルタを用いても吸引効率の低下が少なく、掃除効率が向上する。また、０．３μｍ以上０．５μｍ以下の塵埃の捕捉性が６０％より低いと、電動送風機室から排気室を介して外部に排出される塵埃が増大し、９０％より高いと吸引効率の低下が著しくなり掃除効率が低下するため、０．３μｍ以上０．５μｍ以下の塵埃の捕捉性は、６０％以上９０％以下の割合に設定される。また、高性能フィルタの装着が容易となるとともに、電動送風機の負圧により高性能フィルタが気密部材を挟むように連通孔に向けて密着し、確実に集塵室からの空気が高性能フィルタを通過して、集塵効率が向上する。また、
ケ．訂正事項ｉ
　明細書の段落【００３８】の記載について、「請求項３記載の電気掃除機によれば、請求項１または２記載の電気掃除機に加え、電動送風機の負圧側に配設した圧力センサによる負圧の検知にて、制御手段が電動送風機の駆動を制御するとともに高性能フィルタの目詰まり状態を検知するため、例えばごみ詰まりや集塵袋がいっぱいとなったり高性能フィルタの目詰まりなどを判断でき、適宜電動送風機の駆動を制御することにより掃除効率を向上できる。」とあるのを、「請求項３記載の電気掃除機によれば、
電動送風機室と集塵室との間の電動送風機の負圧側に、０．３μｍ以上０．５μｍ以下の塵埃を６０％以上９０％以下で捕捉する帯電繊維を含む高性能フィルタを設けたため、吸込口から吸い込まれ集塵袋にて捕捉されない微細な塵埃は確実に高性能フィルタを通るから、従来のように電動送風機室から正圧側の圧力が高くなりケース体の繋ぎ目や電源コードが挿通されるコード口などから微細な塵埃を含む空気が排気されることなく集塵効率を向上できるとともに、高性能フィルタは帯電繊維を含んでいるため、集塵性能が高く、０．３μｍ以上０．５μｍ以下の塵埃を６０％以上９０％以下の高い捕捉性を有したものでも吸引効率の低下を抑制でき、掃除効率を向上でき、さらに、高性能フィルタまたは高性能フィルタを電動送風機室と集塵室との間に装着する枠体のいずれか一方に連通孔に対向して下流側に気密部材を設けたため、高性能フィルタを容易に装着できるとともに、電動送風機の負圧により高性能フィルタが気密部材を挟むように連通孔に向けて密着するので、確実に集塵室からの空気を高性能フィルタに通過でき、集塵効率を向上できる。また、
コ．訂正事項ｊ
　明細書の段落【００３９】の記載について、「請求項４記載の電気掃除機によれば、請求項１ないし３いずれか記載の電気掃除機に加え、排気室内に排気孔を覆って０．３μｍ以上０．５μｍ以下の塵埃を６０％以上９０％以下の割合で捕捉可能な帯電繊維を含む高性能フィルタを設けたため、電動送風機の正圧側にも高性能フィルタが配設されているので、さらに集塵効率を向上できる。」とあるのを、「請求項４記載の電気掃除機によれば、
電動送風機室と集塵室との間の電動送風機の負圧側に、０．３μｍ以上０．５μｍ以下の塵埃を６０％以上９０％以下で捕捉する帯電繊維を含む高性能フィルタを設けたため、吸込口から吸い込まれ集塵袋にて捕捉されない微細な塵埃は確実に高性能フィルタを通るから、従来のように電動送風機室から正圧側の圧力が高くなりケース体の繋ぎ目や電源コードが挿通されるコード口などから微細な塵埃を含む空気が排気されることなく集塵効率を向上できるとともに、高性能フィルタは帯電繊維を含んでいるため、集塵性能が高く、０．３μｍ以上０．５μｍ以下の塵埃を６０％以上９０％以下の高い捕捉性を有したものでも吸引効率の低下を抑制でき、掃除効率を向上でき、さらに、高性能フィルタまたは高性能フィルタを電動送風機室と集塵室との間に装着する枠体のいずれか一方に連通孔に対向して下流側に気密部材を設けたため、高性能フィルタを容易に装着できるとともに、電動送風機の負圧により高性能フィルタが気密部材を挟むように連通孔に向けて密着するので、確実に集塵室からの空気を高性能フィルタに通過でき、集塵効率を向上できる。また、
　
（３）訂正の目的の適否、新規事項の有無、及び特許請求の範囲の拡張・変更の存否
ア．訂正事項ａのうち、「
連通孔を有する隔壁と
の前記隔壁
前記隔壁の
の周縁
、
前記
前記
連通孔を有する隔壁と
　上記訂正に関連する記載として、願書に添付した明細書及び図面（以下、「特許明細書」という。）の発明の詳細な説明の段落【００１３】〜【００１５】には、「格子状の連通孔11を有する隔壁12により、・・・区画形成されている・・・　また、隔壁12の前面には、その連通孔11を覆う第１の補助集塵フィルタ21が着脱自在に装着されている。この第１の補助集塵フィルタ21は、枠体22と、この枠体22に嵌挿されるフィルタ体23とからなっている。・・・また、フィルタ体23は、図１、図６および図７に示すように、厚紙製の補強枠31を有している。この補強枠31は、四角筒状の筒状部32の縁から内周側にフランジ状に突出する押え部33,33が折曲形成されている。・・・さらに、他方の押え部33の外面側には全周に亘ってスポンジ状の気密部材35が設けられている。」と記載され、図１には隔壁の連通孔の周縁に対向して下流側に設けられた気密部材が示されているから、上記訂正事項を含む発明は特許明細書に記載されているものと認められる。
　また、「
前記電動送風機から空気が排気される排気室と、この排気室に配設され０．３μｍ以上０．５μｍ以下の塵埃を捕捉可能なもので前記高性能フィルタより低い捕捉性の高性能フィルタと
　上記訂正に関連する記載として、特許明細書の発明の詳細な説明の段落【００２４】に、「第２の補助集塵フィルタ64は、第１の補助集塵フィルタ21の捕捉性より低い、例えば０．３μｍ以上０．５μｍ以下の塵埃の捕捉性が５０％のものを用いることが好ましい」こと、及び段落【００３０】に、「電動送風機14の吸気口38から吸引された空気は、電動送風機14内を通って電動送風機14の図示しない排気孔から排気室61に排気される。さらに、この排気室61に流入した空気は、第２の補助集塵フィルタ64を通って排気孔62から電気掃除機本体１外の外気へ排気風として排出される」ことが記載されているから、上記訂正事項を含む発明は特許明細書に記載されているものと認められる。
　さらに、「特徴とするの電気掃除機。」なる記載を「特徴とす
る電
　したがって、訂正事項ａは、特許請求の範囲の減縮、誤記の訂正及び不明りょうな記載の釈明に該当し、新規事項を追加するものではない。
イ．訂正事項ｂは、請求項２が引用する、訂正事項ａにより訂正される請求項１に高性能フィルタが複数存在することに伴って、高性能フィルタが、集塵室と電動送風機室との間に設けられたものであることを明りょうにするものであるから、不明りょうな記載の釈明に該当し、新規事項を追加するものではない。
ウ．訂正事項ｃ及びｄは、請求項３及び４が、それぞれ「請求項１または２」、「請求項１ないし３のいずれか」を引用していたものを、訂正事項ａにより請求項１が訂正されるに伴って、訂正前の請求項１の構成に限定して独立形式で記載しようとするものであるから、特許請求の範囲の減縮を目的とした明細書の訂正に該当し、新規事項を追加するものではない。
エ．訂正事項ｅ〜ｊは、訂正事項ａ〜ｄによる訂正に伴って、訂正後の請求項１〜４と発明の詳細な説明の記載の整合を図るものであるから、不明りょうな記載の釈明に該当し、新規事項を追加するものではない。
　そして、訂正事項ａ〜ｊのいずれも、実質上特許請求の範囲を拡張し、又は変更するものでない。
　
（４）独立特許要件について
　訂正事項ｃ及びｄは、特許異議の申し立てが行われていない請求項３及び４を訂正するものであって、上記（２）で示すように特許請求の範囲の減縮を目的とした明細書の訂正を含むものであるから、特許出願の際独立して特許を受けることができるものであるかどうかについて検討する。特許異議申立人の提出する証拠方法には、請求項３及び４に係る発明が記載されておらず、且つ上記証拠方法に記載の発明から当業者が容易に発明をすることができたとは認められない。また、他に拒絶すべき理由もない。したがって、上記訂正事項ｃ及びｄは特許法第１２０条の４第３項で準用する同法第１２６条第４項の規定に適合する。
　
（５）むすび
　以上のとおりであるから、上記訂正は、特許法第１２０条の４第２項及び同条第３項において準用する特許法第１２６条第２項から第４項までの規定に適合するので、当該訂正を認める。
　
２．特許異議申立について
（１）本件発明
　上記１．で示したように上記訂正が認められるから、特許第３２１４６５９号（平成７年８月８日出願、平成１３年７月２７日設定登録）の請求項１及び２に係る発明（以下、「本件発明１及び２」という。）は、それぞれ、訂正明細書の請求項１及び２に記載された事項により特定されるとおりのものである。（上記１．（１）ア．及びイ．参照）
　
（２）特許異議申立ての概要
　特許異議申立人・酒井和義は、証拠方法として
甲第１号証（特開平３−１８８８２３号公報）、
甲第２号証（特公昭６３−２２８４７号公報）、および
甲第３号証（特開平４−１８０８０８号公報）
を提出し、
本件の請求項１及び２に係る発明は、甲第１〜３号証に記載された発明に基づいて当業者が容易に発明をすることができたものであるから、特許法第２９条第２項の規定により特許を受けることができないものである。したがって、本件発明１及び２についての特許は拒絶の査定をしなければならない特許出願に対してされたものと認められ、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、取り消されるべきものである旨主張していると認める。
　
（３）当審で通知した取消理由の概要
　当審が平成１４年７月５日付けで通知した取消しの理由は、請求項１及び２に係る発明は、甲第１〜３号証に記載された発明に基づいて、当業者が容易に発明をすることができたものであるから、特許法第２９条第２項の規定により特許を受けることができないというものであり、平成１５年５月１５日付けで通知した取消しの理由は、請求項１の記載が不備であるから特許法第３６条第６項に規定する要件を満たしていないというものである。
　
（４）引用刊行物
　甲第１号証には、「本実施例の電気掃除機の掃除機本体は、本体ケース１とダストケース２とから構成されている。」（第２頁右上欄第７〜８行）こと、
「本体ケース１は、内部に電動送風機１０およびコード巻取装置１１が設けられている。」（同欄第１９〜２０行）こと、
「左右本体ケース部１ａ，１ｂは、前壁１２に連通口１３が後壁１４に排気口１５が設けられている。本体ケース１内には、電動送風機収納室１６とコード巻取装置収納室１７とが仕切板１８によって仕切られている。」（第２頁左下欄第６〜１０行）こと、
「ダストケース２の前側には、第１細目集塵フィルター１９を出し入れする第１細目集塵フィルター用開口部が形成されている。」（第３頁右上欄第４〜６行）こと、
「ダストケース蓋体４３は、第１細目集塵フィルター用開口部をフィルター支持板３６の外側から閉成する」（第３頁左下欄第６〜８行）こと、
「このダストケース蓋体４３は、吸込ホース（図示せず）を挿入するホース接続口４５およびクランプ４６を有する。」（同欄第１１〜１３行）こと、
「ダストケース３の後側は、本体ケース１が着脱自在に結合される。このダストケース２の後側には結合部側開口部が設けられており、この結合部側開口部より後で詳述する集塵フィルターユニット４９はダストケース２内に出し入れされる。」（第３頁右下欄第３〜７行）こと、
「この第１細目集塵フィルター１９は、袋状体６５と支持板６６から構成されている。」（第４頁左上欄末行〜同頁右上欄第１行）こと、
「集塵フィルターユニット４９は、第１図及び第６図に示すように、主として粗目集塵フィルター体１００と第２細目集塵フィルター枠体１０２とフィルター支持基板１０３と支持用シールパッキング１０４とから構成されている。」（第５頁右上欄第１１〜１５行）こと、
「第２細目集塵フィルター枠体１０２には、不織布を波状に形成した第２細目集塵フィルター１０７が設けられている。この第２細目集塵フィルター１０７の通気目の大きさは、前記第１細目集塵フィルター１９とほぼ同一に形成されている。
　このように、第１細目集塵フィルター１９の下流側に第２細目集塵フィルター１０７を配置する二段構成としたので、第１細目集塵フィルター１９で捕集されなかった塵埃は第２細目集塵フィルター１０７に捕集でき、本体ケース１の排気口１５より細塵が吹き出すことはないのである。」（第５頁左下欄第８〜１８行）こと、
「第２細目集塵フィルター枠体１０２の後側とフィルター支持基板１０３の前側を合せ、両者の外周に保持用シールパッキング１０４を嵌めて前記両者を一組とし、これに粗目集塵フィルター枠体１００を第２細目集塵フィルター１０７側からかぶせて取り付けることにより、集塵フィルターユニット４９が構成されている。
　この集塵フィルターユニット４９は、これをダストケース２内に嵌め込むことにより、保持シールパッキング１０４の外周がダストケース２の内側壁面に気密的に接合する。」（第５頁右下欄第８〜１８行）こと、
「電動送風機１０を運転すると、塵埃を含む気流は吸込ホース、ホース接続口４５および偏向吸込口７８を通り、第１細目集塵フィルター１９の袋状体６５内に流入する。ここで、粗塵および細塵は捕集され、空気およびわずかの微細塵は袋状体６５の通気目を通り、更に粗目集塵フィルター１０５，１０６を通り、第２細目集塵フィルター１０７側に流れる。ここで微細塵は再捕集され、空気は第２細目集塵フィルター１０７の通気目を通り、本体ケース１の排気口１５より排気される。」（第６頁右下欄末行〜第７頁左上欄第９行）ことが記載され、
第１図には、保持シールパッキング１０４が、第２細目集塵フィルター枠体１０２とフィルター支持基板１０３の外周を挟んで、集塵フィルターユニット４９の後側にまで伸び、本体ケース１の前壁１２にも接すること、及び排気口１５にこれを覆う様に配される部材が示されている。
　甲第２号証には、「本発明にあっては、上流に機械的フィルター材料を用いて０．３μmより大きな粒径の微粒子だけを捕集し、次いでエレクトレット・フィルター材料でそれより小さな粒径の微粒子を捕集するというように、・・・０．１μmの超微粒子に対してクラス１或いは１００という高度のクリーンルームを得ることができるものである。」（第２頁右欄第２６〜３９行）ことが記載されている。
　甲第３号証には、「本発明の成形フィルターは、空気清浄機、掃除機等のフィルターとして利用できる。」（第１頁右欄第５〜６行）こと、
「本発明は・・・極細不織布と、該極細不織布の片面又は両面が・・・繊維シートとを積層し、・・・成形されている成形フィルターであ」（第２頁左上欄第１０〜１６行）ること、
「第３図は、本発明の成形フィルターを枠組みした斜視図である。第３図ｅは、枠を示す。枠ｅは、紙、木、プラスチック等目的に応じて選択できる」（第２頁右下欄第１〜４行）こと、
「本発明において、・・・極細不織布は、ポリプロピレン系・・・のポリマーを・・・シート化する方法等により得られる」（第３頁左上欄第２〜９行）こと、
「除塵性能を向上させる目的で繊維に帯電加工を施すが、エレクトレット加工などを行うことができる。本発明の繊維シートは、・・・ポリプロピレン系繊維・・・の・・・積層によって得られるシート状物である。」（第３頁右上欄第７〜１７行）こと、
「実施例１・・・エレクトレット加工したポリプロピレン極細不織布（ｂ）と、・・・ポリエチレンテレフタレート・・・繊維シート（ａ）、（ｃ）とを得・・・、繊維シートと極細不織布とを（ａ）（ｂ）（ｃ）の順に重ね合わせて、・・・除塵率98％と優れた性能の成形フィルターが得られた。」（第４頁左上欄第１７行〜左下欄第５行）こと、
「実施例２・・・ポリエチレンテレフタレート・・・長繊維シートを得・・・ポリエチレン−ポリプロピレン複合繊維のカードウェブから成る短繊維シートとを二枚重ねて・・・得られた繊維シート（ａ）・・・ポリエステル極細不織布（ｂ）と、上記、繊維シート（ａ）とを積層し、・・・除塵性79％と優れた性能の成形フィルターである」（第４頁右下欄第３行〜第５頁左上欄第１３行）ことが記載されている。
　
（５）対比・判断
ア．本件発明１について
　本件発明１と甲第１号証に記載された発明（以下、「引用発明１」という。）とを対比すると、両者は、少なくとも、前者が、「排気室に配設され０．３μｍ以上０．５μｍ以下の塵埃を捕捉可能なもので前記高性能フィルタ（「集塵室と電動送風機室との間に設けられ０．３μｍ以上０．５μｍ以下の塵埃を６０％以上９０％以下の割合で捕捉可能な帯電繊維を含む高性能フィルタ」）より低い捕捉性の高性能フィルタ」を有するのに対して、後者はその様に特定されたフィルターを有していない点で相違している。
　
　そこで上記相違点につき検討するに、甲第２及び３号証にも、上記構成は記載されていない。
　そして、本件発明１は、上記構成により、明細書記載の、高い捕捉性の高性能フィルタ63を用いることによる通気性の低下により吸引効率が低下するとともに、電動送風機室15の正圧側の正圧が高くなり、排気室61に流入した空気が第２の補助集塵フィルタ64を通らずに本体ケース２の隙間などから微細な集塵とともに排気される問題を回避し、電動送風機14の正圧側にも高性能フィルタ63が配設されているので、さらに集塵効率を向上でき、吸込口74から吸い込んだ塵埃は電気掃除機本体１外に排出されずほとんど捕捉できるという効果を奏するものである。（訂正明細書段落【００２４】【００３４】【００３５】等参照）
　したがって、本件発明１は、甲第１〜３号証に記載された発明に基づいて、当業者が容易に発明をすることができたものではない。
　また、平成１５年５月１５日付けで通知した請求項１の記載が不備であるという取消しの理由についても、平成１５年５月２８日付け訂正請求書により請求項１が訂正され、解消している。
　
イ．本件発明２ついて
　本件発明２は、本件発明１の構成要件を全て含み、さらに他の構成要件を付加したものであるから、上記２．（５）ア．で記載したと同様の理由により、甲第１〜３号証に記載された発明に基づいて、当業者が容易に発明をすることができたものとすることはできない。
　
（６）むすび
　以上のとおりであるから、請求項１及び２に係る発明の特許は、特許異議申立ての理由及び証拠方法によっては取り消すことはできない。
　また、他に請求項１及び２に係る発明の特許を取り消すべき理由を発見しない。
　したがって、本件の請求項１及び２に係る発明についての特許は、拒絶の査定をしなければならない特許出願に対してされたものとは認めない。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１５年６月１１日（２００３．６．１１）
【訂正の要旨】
ａ．明細書の【特許請求の範囲】の【請求項１】において、
「　電動送風機を収容する電動送風機室と、
　この電動送風機室の負圧側に連通孔を介して気密に連通して設けられ吸込口から吸い込んだ塵埃を捕捉する集塵袋が装着される集塵室と、
　この集塵室と前記電動送風機室との間に設けられ０．３μｍ以上０．５μｍ以下の塵埃を６０％以上９０％以下の割合で捕捉可能な帯電繊維を含む高性能フィルタと、
　この高性能フィルタを電動送風機室と集塵室との間に装着する枠体と、
　前記高性能フィルタまたは前記枠体のいずれか一方に連通孔に対向して下流側に設けられた気密部材と
　を具備したことを特徴とするの電気掃除機。」とあるのを、
特許請求の範囲の減縮および誤記の訂正を目的として、
「　電動送風機を収容する電動送風機室と、
　
連通孔を有する隔壁と、
　
前記
前記
　この集塵室と前記電動送風機室との間に設けられ０．３μｍ以上０．５μｍ以下の塵埃を６０％以上９０％以下の割合で捕捉可能な帯電繊維を含む高性能フィルタと、
　この高性能フィルタを電動送風機室と集塵室との間
の前記隔壁
　前記高性能フィルタまたは前記枠体のいずれか一方に
前記隔壁の
の周縁
、
　
前記電動送風機から空気が排気される排気室と、
　
この排気室に配設され０．３μｍ以上０．５μｍ以下の塵埃を捕捉可能なもので前記高性能フィルタより低い捕捉性の高性能フィルタと
　を具備したことを特徴とす
る電
ｂ．明細書の【特許請求の範囲】の【請求項２】において、
「　高性能フィルタは、ポリプロピレンにて形成され、周縁に紙製の補強枠が設けられた
　ことを特徴とする請求項１記載の電気掃除機。」とあるのを、
明りょうでない記載の釈明を目的として、
「　
集塵室と電動送風機室との間に設けられた
　ことを特徴とする請求項１記載の電気掃除機。」と訂正する。
ｃ．明細書の【特許請求の範囲】の【請求項３】において、
「　電動送風機室の負圧側に配設され負圧を検知する圧力センサと、
　この圧力センサにて検知された圧力に対応して電動送風機の駆動を制御するとともに高性能フィルタの目詰まり状態を検知する制御手段と
　を具備したことを特徴とする請求項１または２記載の電気掃除機。」とあるのを、
特許請求の範囲の減縮を目的として、
「　
電動送風機を収容する電動送風機室と、
　
この電動送風機室の負圧側に連通孔を介して気密に連通して設けられ吸込口から吸い込んだ塵埃を捕捉する集塵袋が装着される集塵室と、
　
この集塵室と前記電動送風機室との間に設けられ０．３μｍ以上０．５μｍ以下の塵埃を６０％以上９０％以下の割合で捕捉可能な帯電繊維を含む高性能フィルタと、
　
この高性能フィルタを電動送風機室と集塵室との間に装着する枠体と、
　
前記高性能フィルタまたは前記枠体のいずれか一方に連通孔に対向して下流側に設けられた気密部材と、
　
前記
　この圧力センサにて検知された圧力に対応して
前記
前記
　を具備したことを特徴とす
る電
ｄ．明細書の【特許請求の範囲】の【請求項４】において、
「　電動送風機室の正圧側に設けられ外方に連通する排気孔を有した排気室と、
　前記排気室内に排気孔を覆って０．３μｍ以上０．５μｍ以下の塵埃を６０％以上９０％以下の割合で捕捉可能な帯電繊維を含む高性能フィルタと
　を具備したことを特徴とする請求項１ないし３いずれか記載の電気掃除機。」とあるのを、
特許請求の範囲の減縮を目的として、
「　
電動送風機を収容する電動送風機室と、
　
この電動送風機室の負圧側に連通孔を介して気密に連通して設けられ吸込口から吸い込んだ塵埃を捕捉する集塵袋が装着される集塵室と、
　
この集塵室と前記電動送風機室との間に設けられ０．３μｍ以上０．５μｍ以下の塵埃を６０％以上９０％以下の割合で捕捉可能な帯電繊維を含む高性能フィルタと、
　
この高性能フィルタを電動送風機室と集塵室との間に装着する枠体と、
　
前記高性能フィルタまたは前記枠体のいずれか一方に連通孔に対向して下流側に設けられた気密部材と、
　
前記
　前記排気室内に排気孔を覆って０．３μｍ以上０．５μｍ以下の塵埃を６０％以上９０％以下の割合で捕捉可能な帯電繊維を含む高性能フィルタと
　を具備したことを特徴とす
る電
ｅ．明細書の【０００６】において、
「　　【課題を解決するための手段】
　請求項１記載の電気掃除機は、電動送風機を収容する電動送風機室と、この電動送風機室の負圧側に連通孔を介して気密に連通して設けられ吸込口から吸い込んだ塵埃を捕捉する集塵袋が装着される集塵室と、この集塵室と前記電動送風機室との間に設けられ０．３μｍ以上０．５μｍ以下の塵埃を６０％以上９０％以下の割合で捕捉可能な帯電繊維を含む高性能フィルタと、この高性能フィルタを電動送風機室と集塵室との間に装着する枠体と、前記高性能フィルタまたは前記枠体のいずれか一方に連通孔に対向して下流側に設けられた気密部材とを具備したもので、電動送風機の負圧側に高性能フィルタを設けたため、吸込口から吸い込まれ集塵室内の集塵袋を通過した微細な塵埃を含む空気は確実に高性能フィルタを流通するため、高性能フィルタを介さず、例えばケース体の繋ぎ目や電源コードが挿通されるコード口などから排気されることがなく集塵効率が向上する。そして、高性能フィルタは帯電繊維を含んでいるため、集塵性能が高く、０．３μｍ以上０．５μｍ以下の塵埃を６０％以上９０％以下の割合で捕捉できる高性能フィルタを用いても吸引効率の低下が少なく、掃除効率が向上する。また、０．３μｍ以上０．５μｍ以下の塵埃の捕捉性が６０％より低いと、電動送風機室から排気室を介して外部に排出される塵埃が増大し、９０％より高いと吸引効率の低下が著しくなり掃除効率が低下するため、０．３μｍ以上０．５μｍ以下の塵埃の捕捉性は、６０％以上９０％以下の割合に設定される。また、高性能フィルタの装着が容易となるとともに、電動送風機の負圧により高性能フィルタが気密部材を挟むように連通孔に向けて密着し、確実に集塵室からの空気が高性能フィルタを通過して、集塵効率が向上する。」とあるのを、
　請求項１の記載との整合をとるため、明りょうでない記載の釈明を目的として、
「　　【課題を解決するための手段】
　請求項１記載の電気掃除機は、電動送風機を収容する電動送風機室と、
連通孔を有する隔壁と、前記
前記
の前記隔壁
前記隔壁の
の周縁
、前記電動送風機から空気が排気される排気室と、この排気室に配設され０．３μｍ以上０．５μｍ以下の塵埃を捕捉可能なもので前記高性能フィルタより低い捕捉性の高性能フィルタと
ｆ．明細書の【０００７】において、
「　請求項２記載の電気掃除機は、請求項１記載の電気掃除機において、高性能フィルタは、ポリプロピレンにて形成され、周縁に紙製の補強枠が設けられたもので、高性能フィルタの着脱が補強枠により容易となり、高性能フィルタの寿命後は、枠体から取り外して焼却による処分が可能となる。」とあるのを、
　請求項２の記載との整合をとるため、明りょうでない記載の釈明を目的として、
「　請求項２記載の電気掃除機は、請求項１記載の電気掃除機において、
集塵室と電動送風機室との間に設けられた
ｇ．明細書の【０００８】において、
「　請求項３記載の電気掃除機は、請求項１または２記載の電気掃除機において、電動送風機室の負圧側に配設され負圧を検知する圧力センサと、この圧力センサにて検知された圧力に対応して電動送風機の駆動を制御するとともに高性能フィルタの目詰まり状態を検知する制御手段とを具備したもので、電動送風機の負圧側に配設した圧力センサによる負圧の検知にて、制御手段が電動送風機の駆動を制御するとともに高性能フィルタの目詰まり状態を検知するため、例えばごみ詰まりや集塵袋がいっぱいとなったり目詰まりなどを判断でき、適宜電動送風機の駆動を制御することにより掃除効率が向上する。」とあるのを、
　請求項３の記載との整合をとるため、明りょうでない記載の釈明を目的として、
「　請求項３記載の電気掃除機は、
電動送風機を収容する電動送風機室と、この電動送風機室の負圧側に連通孔を介して気密に連通して設けられ吸込口から吸い込んだ塵埃を捕捉する集塵袋が装着される集塵室と、この集塵室と前記電動送風機室との間に設けられ０．３μｍ以上０．５μｍ以下の塵埃を６０％以上９０％以下の割合で捕捉可能な帯電繊維を含む高性能フィルタと、この高性能フィルタを電動送風機室と集塵室との間に装着する枠体と、前記高性能フィルタまたは前記枠体のいずれか一方に連通孔に対向して下流側に設けられた気密部材と、前記
前記
前記
電動送風機の負圧側に高性能フィルタを設けたため、吸込口から吸い込まれ集塵室内の集塵袋を通過した微細な塵埃を含む空気は確実に高性能フィルタを流通するため、高性能フィルタを介さず、例えばケース体の繋ぎ目や電源コードが挿通されるコード口などから排気されることがなく集塵効率が向上する。そして、高性能フィルタは帯電繊維を含んでいるため、集塵性能が高く、０．３μｍ以上０．５μｍ以下の塵埃を６０％以上９０％以下の割合で捕捉できる高性能フィルタを用いても吸引効率の低下が少なく、掃除効率が向上する。また、０．３μｍ以上０．５μｍ以下の塵埃の捕捉性が６０％より低いと、電動送風機室から排気室を介して外部に排出される塵埃が増大し、９０％より高いと吸引効率の低下が著しくなり掃除効率が低下するため、０．３μｍ以上０．５μｍ以下の塵埃の捕捉性は、６０％以上９０％以下の割合に設定される。また、高性能フィルタの装着が容易となるとともに、電動送風機の負圧により高性能フィルタが気密部材を挟むように連通孔に向けて密着し、確実に集塵室からの空気が高性能フィルタを通過して、集塵効率が向上する。また、
ｈ．明細書の【０００９】において、
「　請求項４記載の電気掃除機は、請求項１ないし３いずれか記載の電気掃除機において、電動送風機室の正圧側に設けられ外方に連通する排気孔を有した排気室と、前記排気室内に排気孔を覆って０．３μｍ以上０．５μｍ以下の塵埃を６０％以上９０％以下の割合で捕捉可能な帯電繊維を含む高性能フィルタとを具備したもので、電動送風機の正圧側にも高性能フィルタを配設するため、さらに集塵効率が向上する。」とあるのを、
　請求項４の記載との整合をとるため、明りょうでない記載の釈明を目的として、
「　請求項４記載の電気掃除機は、
電動送風機を収容する電動送風機室と、この電動送風機室の負圧側に連通孔を介して気密に連通して設けられ吸込口から吸い込んだ塵埃を捕捉する集塵袋が装着される集塵室と、この集塵室と前記電動送風機室との間に設けられ０．３μｍ以上０．５μｍ以下の塵埃を６０％以上９０％以下の割合で捕捉可能な帯電繊維を含む高性能フィルタと、この高性能フィルタを電動送風機室と集塵室との間に装着する枠体と、前記高性能フィルタまたは前記枠体のいずれか一方に連通孔に対向して下流側に設けられた気密部材と、前記
電動送風機の負圧側に高性能フィルタを設けたため、吸込口から吸い込まれ集塵室内の集塵袋を通過した微細な塵埃を含む空気は確実に高性能フィルタを流通するため、高性能フィルタを介さず、例えばケース体の繋ぎ目や電源コードが挿通されるコード口などから排気されることがなく集塵効率が向上する。そして、高性能フィルタは帯電繊維を含んでいるため、集塵性能が高く、０．３μｍ以上０．５μｍ以下の塵埃を６０％以上９０％以下の割合で捕捉できる高性能フィルタを用いても吸引効率の低下が少なく、掃除効率が向上する。また、０．３μｍ以上０．５μｍ以下の塵埃の捕捉性が６０％より低いと、電動送風機室から排気室を介して外部に排出される塵埃が増大し、９０％より高いと吸引効率の低下が著しくなり掃除効率が低下するため、０．３μｍ以上０．５μｍ以下の塵埃の捕捉性は、６０％以上９０％以下の割合に設定される。また、高性能フィルタの装着が容易となるとともに、電動送風機の負圧により高性能フィルタが気密部材を挟むように連通孔に向けて密着し、確実に集塵室からの空気が高性能フィルタを通過して、集塵効率が向上する。また、
ｉ．明細書の【００３８】において、
「　請求項３記載の電気掃除機によれば、請求項１または２記載の電気掃除機に加え、電動送風機の負圧側に配設した圧力センサによる負圧の検知にて、制御手段が電動送風機の駆動を制御するとともに高性能フィルタの目詰まり状態を検知するため、例えばごみ詰まりや集塵袋がいっぱいとなったり高性能フィルタの目詰まりなどを判断でき、適宜電動送風機の駆動を制御することにより掃除効率を向上できる。」とあるのを、
明りょうでない記載の釈明を目的として、
「　請求項３記載の電気掃除機によれば、
電動送風機室と集塵室との間の電動送風機の負圧側に、０．３μｍ以上０．５μｍ以下の塵埃を６０％以上９０％以下で捕捉する帯電繊維を含む高性能フィルタを設けたため、吸込口から吸い込まれ集塵袋にて捕捉されない微細な塵埃は確実に高性能フィルタを通るから、従来のように電動送風機室から正圧側の圧力が高くなりケース体の繋ぎ目や電源コードが挿通されるコード口などから微細な塵埃を含む空気が排気されることなく集塵効率を向上できるとともに、高性能フィルタは帯電繊維を含んでいるため、集塵性能が高く、０．３μｍ以上０．５μｍ以下の塵埃を６０％以上９０％以下の高い捕捉性を有したものでも吸引効率の低下を抑制でき、掃除効率を向上でき、さらに、高性能フィルタまたは高性能フィルタを電動送風機室と集塵室との間に装着する枠体のいずれか一方に連通孔に対向して下流側に気密部材を設けたため、高性能フィルタを容易に装着できるとともに、電動送風機の負圧により高性能フィルタが気密部材を挟むように連通孔に向けて密着するので、確実に集塵室からの空気を高性能フィルタに通過でき、集塵効率を向上できる。また、
ｊ．明細書の【００３９】において、
「　請求項４記載の電気掃除機によれば、請求項１ないし３いずれか記載の電気掃除機に加え、排気室内に排気孔を覆って０．３μｍ以上０．５μｍ以下の塵埃を６０％以上９０％以下の割合で捕捉可能な帯電繊維を含む高性能フィルタを設けたため、電動送風機の正圧側にも高性能フィルタが配設されているので、さらに集塵効率を向上できる。」とあるのを、
明りょうでない記載の釈明を目的として、
「　請求項４記載の電気掃除機によれば、
電動送風機室と集塵室との間の電動送風機の負圧側に、０．３μｍ以上０．５μｍ以下の塵埃を６０％以上９０％以下で捕捉する帯電繊維を含む高性能フィルタを設けたため、吸込口から吸い込まれ集塵袋にて捕捉されない微細な塵埃は確実に高性能フィルタを通るから、従来のように電動送風機室から正圧側の圧力が高くなりケース体の繋ぎ目や電源コードが挿通されるコード口などから微細な塵埃を含む空気が排気されることなく集塵効率を向上できるとともに、高性能フィルタは帯電繊維を含んでいるため、集塵性能が高く、０．３μｍ以上０．５μｍ以下の塵埃を６０％以上９０％以下の高い捕捉性を有したものでも吸引効率の低下を抑制でき、掃除効率を向上でき、さらに、高性能フィルタまたは高性能フィルタを電動送風機室と集塵室との間に装着する枠体のいずれか一方に連通孔に対向して下流側に気密部材を設けたため、高性能フィルタを容易に装着できるとともに、電動送風機の負圧により高性能フィルタが気密部材を挟むように連通孔に向けて密着するので、確実に集塵室からの空気を高性能フィルタに通過でき、集塵効率を向上できる。また、
（５４）【発明の名称】
電気掃除機
（５７）【特許請求の範囲】
　【請求項１】　電動送風機を収容する電動送風機室と、
　
連通孔を有する隔壁と、
　
前記
前記
　この集塵室と前記電動送風機室との間に設けられ０．３μｍ以上０．５μｍ以下の塵埃を６０％以上９０％以下の割合で捕捉可能な帯電繊維を含む高性能フィルタと、
　この高性能フィルタを電動送風機室と集塵室との間
の前記隔壁
　前記高性能フィルタまたは前記枠体のいずれか一方に
前記隔壁の
の周縁
、
　
前記電動送風機から空気が排気される排気室と、
　
この排気室に配設され０．３μｍ以上０．５μｍ以下の塵埃を捕捉可能なもので前記高性能フィルタより低い捕捉性の高性能フィルタと
　を具備したことを特徴とす
る電
　【請求項２】　
集塵室と電動送風機室との間に設けられた
　ことを特徴とする請求項１記載の電気掃除機。
　【請求項３】　
電動送風機を収容する電動送風機室と、
　
この電動送風機室の負圧側に連通孔を介して気密に連通して設けられ吸込口から吸い込んだ塵埃を捕捉する集塵袋が装着される集塵室と、
　
この集塵室と前記電動送風機室との間に設けられ０．３μｍ以上０．５μｍ以下の塵埃を６０％以上９０％以下の割合で捕捉可能な帯電繊維を含む高性能フィルタと、
　
この高性能フィルタを電動送風機室と集塵室との間に装着する枠体と、
　
前記高性能フィルタまたは前記枠体のいずれか一方に連通孔に対向して下流側に設けられた気密部材と、
　
前記
　この圧力センサにて検知された圧力に対応して
前記
前記
　を具備したことを特徴とす
る電
　【請求項４】　
電動送風機を収容する電動送風機室と、
　
この電動送風機室の負圧側に連通孔を介して気密に連通して設けられ吸込口から吸い込んだ塵埃を捕捉する集塵袋が装着される集塵室と、
　
この集塵室と前記電動送風機室との間に設けられ０．３μｍ以上０．５μｍ以下の塵埃を６０％以上９０％以下の割合で捕捉可能な帯電繊維を含む高性能フィルタと、
　
この高性能フィルタを電動送風機室と集塵室との間に装着する枠体と、
　
前記高性能フィルタまたは前記枠体のいずれか一方に連通孔に対向して下流側に設けられた気密部材と、
　
前記
　前記排気室内に排気孔を覆って０．３μｍ以上０．５μｍ以下の塵埃を６０％以上９０％以下の割合で捕捉可能な帯電繊維を含む高性能フィルタと
　を具備したことを特徴とす
る電
【発明の詳細な説明】
　【０００１】
　【発明の属する技術分野】
　本発明は、高性能フィルタを備えた電気掃除機に関する。
　【０００２】
　【従来の技術】
　従来、この種の電気掃除機としては、例えば特開平１−２１５３３９号公報に記載の構成が知られている。
　【０００３】
　この特開平１−２１５３３９号公報に記載の電気掃除機は、電動送風機を収納する電動送風機室の負圧側に吸込口から吸い込まれた塵埃を捕捉する集塵袋が装着される連通孔を介して集塵室が形成されている。また、電動送風機室の正圧側には電動送風機の排気風を外方に排気する排気孔を有した排気室が形成されている。そして、連通孔にはスポンジなどを格子状のホルダに取り付けて着脱自在とした集塵フィルタが取り付けられ、排気室には周縁が気密に取り付けられた高性能フィルタが周縁を気密に取り付けられて装着している。
　【０００４】
　【発明が解決しようとする課題】
　しかしながら、上記特開平１−２１５３３９号公報に記載の従来の電気掃除機において、電動送風機の正圧側に通気性が高くない高性能フィルタを配設しているため、集塵袋および集塵フィルタにて捕捉されない微細な塵埃がケース体の繋ぎ目や電源コードが挿通されるコード口などから排気されるおそれがある。このため、高性能フィルタの微細な塵埃の捕捉性を向上させることも考えられるが、さらに排気抵抗が増大し、吸込仕事率が低下する問題がある。
　【０００５】
　本発明は、上記問題点に鑑みなされたもので、吸込仕事率の低下を抑え塵埃の高い捕捉性が得られる電気掃除機を提供することを目的とする。
　【０００６】
　【課題を解決するための手段】
　請求項１記載の電気掃除機は、電動送風機を収容する電動送風機室と、
連通孔を有する隔壁と、前記
前記
の前記隔壁
前記隔壁の
の周縁
、前記電動送風機から空気が排気される排気室と、この排気室に配設され０．３μｍ以上０．５μｍ以下の塵埃を捕捉可能なもので前記高性能フィルタより低い捕捉性の高性能フィルタと
　【０００７】
　請求項２記載の電気掃除機は、請求項１記載の電気掃除機において、
集塵室と電動送風機室との間に設けられた
　【０００８】
　請求項３記載の電気掃除機は、
電動送風機を収容する電動送風機室と、この電動送風機室の負圧側に連通孔を介して気密に連通して設けられ吸込口から吸い込んだ塵埃を捕捉する集塵袋が装着される集塵室と、この集塵室と前記電動送風機室との間に設けられ０．３μｍ以上０．５μｍ以下の塵埃を６０％以上９０％以下の割合で捕捉可能な帯電繊維を含む高性能フィルタと、この高性能フィルタを電動送風機室と集塵室との間に装着する枠体と、前記高性能フィルタまたは前記枠体のいずれか一方に連通孔に対向して下流側に設けられた気密部材と、前記
前記
前記
電動送風機の負圧側に高性能フィルタを設けたため、吸込口から吸い込まれ集塵室内の集塵袋を通過した微細な塵埃を含む空気は確実に高性能フィルタを流通するため、高性能フィルタを介さず、例えばケース体の繋ぎ目や電源コードが挿通されるコード口などから排気されることがなく集塵効率が向上する。そして、高性能フィルタは帯電繊維を含んでいるため、集塵性能が高く、０．３μｍ以上０．５μｍ以下の塵埃を６０％以上９０％以下の割合で捕捉できる高性能フィルタを用いても吸引効率の低下が少なく、掃除効率が向上する。また、０．３μｍ以上０．５μｍ以下の塵埃の捕捉性が６０％より低いと、電動送風機室から排気室を介して外部に排出される塵埃が増大し、９０％より高いと吸引効率の低下が著しくなり掃除効率が低下するため、０．３μｍ以上０．５μｍ以下の塵埃の捕捉性は、６０％以上９０％以下の割合に設定される。また、高性能フィルタの装着が容易となるとともに、電動送風機の負圧により高性能フィルタが気密部材を挟むように連通孔に向けて密着し、確実に集塵室からの空気が高性能フィルタを通過して、集塵効率が向上する。また、
　【０００９】
　請求項４記載の電気掃除機は、
電動送風機を収容する電動送風機室と、この電動送風機室の負圧側に連通孔を介して気密に連通して設けられ吸込口から吸い込んだ塵埃を捕捉する集塵袋が装着される集塵室と、この集塵室と前記電動送風機室との間に設けられ０．３μｍ以上０．５μｍ以下の塵埃を６０％以上９０％以下の割合で捕捉可能な帯電繊維を含む高性能フィルタと、この高性能フィルタを電動送風機室と集塵室との間に装着する枠体と、前記高性能フィルタまたは前記枠体のいずれか一方に連通孔に対向して下流側に設けられた気密部材と、前記
電動送風機の負圧側に高性能フィルタを設けたため、吸込口から吸い込まれ集塵室内の集塵袋を通過した微細な塵埃を含む空気は確実に高性能フィルタを流通するため、高性能フィルタを介さず、例えばケース体の繋ぎ目や電源コードが挿通されるコード口などから排気されることがなく集塵効率が向上する。そして、高性能フィルタは帯電繊維を含んでいるため、集塵性能が高く、０．３μｍ以上０．５μｍ以下の塵埃を６０％以上９０％以下の割合で捕捉できる高性能フィルタを用いても吸引効率の低下が少なく、掃除効率が向上する。また、０．３μｍ以上０．５μｍ以下の塵埃の捕捉性が６０％より低いと、電動送風機室から排気室を介して外部に排出される塵埃が増大し、９０％より高いと吸引効率の低下が著しくなり掃除効率が低下するため、０．３μｍ以上０．５μｍ以下の塵埃の捕捉性は、６０％以上９０％以下の割合に設定される。また、高性能フィルタの装着が容易となるとともに、電動送風機の負圧により高性能フィルタが気密部材を挟むように連通孔に向けて密着し、確実に集塵室からの空気が高性能フィルタを通過して、集塵効率が向上する。また、
　【００１０】
　【発明の実施の形態】
　以下、本発明の電気掃除機の実施の一形態を図面を参照して説明する。
　【００１１】
　図１および図２において、１は電気掃除機本体で、この電気掃除機本体１は、上面を開口した下部ケース２ａ、および、この下部ケース２ａの後部上面を閉塞する上部ケース２ｂとが、前面を含む周縁にバンパ３を挟持して接合されて前側上面部を開口したケース体としての本体ケース２を有し、この本体ケース２に前側上面部の開口を開閉自在に閉塞する蓋体４を回動自在に軸支して形成されている。
　【００１２】
　そして、本体ケース２は、進行方向の前側下面に旋回自在の旋回輪５が取り付けられ、本体ケース２の後側側面に大径の従動輪６，６が回転自在に設けられ、電気掃除機本体１は旋回輪５と従動後輪６，６とにて図示しない床面上を走行可能となっている。また、本体ケース２の上部には、上下方向に摺動自在のハンドル７が設けられている。
　【００１３】
　一方、電気掃除機本体１内には、図１に示すように、格子状の連通孔１１を有する隔壁１２により、上方が開放された集塵室１３が、電気掃除機本体１の進行方向の前側に区画形成されているとともに、この集塵室１３の後方に電動送風機１４を収納した電動送風機室１５が区画形成されている。そして、集塵室１３内には、この集塵室１３内に枢着されたホルダ１６により集塵袋１７が着脱自在に装着されている。
　【００１４】
　また、隔壁１２の前面には、その連通孔１１を覆う第１の補助集塵フィルタ２１が着脱自在に装着されている。この第１の補助集塵フィルタ２１は、枠体２２と、この枠体２２に嵌挿されるフィルタ体２３とからなっている。そして、枠体２２は、図１および図３ないし図５に示すように、四角筒状の枠状部２５の軸方向の一端面に格子状の保持枠２６が設けられ、この保持枠２６は略中央になるにしたがって高さ寸法が高くなる、すなわち枠状部２５の軸方向に沿って寸法が大きくなるようになっている。さらに、枠体２２の保持枠２６が設けられていない側の端部縁には、隔壁１２に形成された図示しない引っ掛け孔に係止される係止爪部２７が設けられ、枠体２２の上端部には隔壁１２に枠体２２を着脱させるための取っ手部２８が設けられている。
　【００１５】
　また、フィルタ体２３は、図１、図６および図７に示すように、厚紙製の補強枠３１を有している。この補強枠３１は、四角筒状の筒状部３２の縁から内周側にフランジ状に突出する押え部３３，３３が折曲形成されている。そして、一方の押え部３３に先端縁の開口には、合成樹脂糸にて網状に形成された網状体３４が設けられている。さらに、他方の押え部３３の外面側には全周に亘ってスポンジ状の気密部材３５が設けられている。
　【００１６】
　そして、この補強枠３１の内周側には、高性能フィルタ３６が取り付けられている。この高性能フィルタ３６は、ポリプロピレンの帯電繊維にて形成された不織布の一面に溶融した樹脂が格子状に架橋３７されてほつれが防止され、この不織布が蛇腹状に折曲されて形成されている。そして、この高性能フィルタ３６は、ＪＩＳ−Ｚ−４８１２に基づいた測定により、０．３μｍ以上０．５μｍ以下の塵埃の捕捉性が６０％以上９０％以下に設定される。なお、捕捉性が６０％より低いと、この高性能フィルタ３６を微細な集塵の一部が通過して、電動送風機１４の吸気口３８から電動送風機１４内に流入して電動送風機１４を損傷するおそれがあり、９０％より高いと通気性が低下して吸引効率が低下するため、高性能フィルタ３６の０．３μｍ以上０．５μｍ以下の塵埃の捕捉性を６０％以上９０％以下、例えば７０％に設定する。そして、高性能フィルタ３６は、樹脂にて架橋されていない側である起毛側を網状体３４に対向させて補強枠３１内に接着剤などにて取り付けられている。
　【００１７】
　なお、集塵袋１７および第１の補助集塵フィルタ２１は、集塵室１３の上面開口を介して着脱される。そして、蓋体４は、上部ケース２ｂに後端部が枢着されており、集塵室１３を上方から開閉自在に覆うように形成されている。
　【００１８】
　一方、電動送風機室１５内には、図１に示すように、電動送風機１４が配設されている。この電動送風機１４は、図示しない例えばファンを軸にて回転駆動する電動部４１と、ファンを覆うファンカバー４２とからなっている。このファンカバー４２の前面中央部には吸気口３８が開口形成され、電動部４１のフレームには図示しない排気孔が開口形成されている。なお、電動部４１の後端面の略中央には、ファンを回転駆動させる図示しない軸を支持する軸受が内設されたモータヘッド４３が、後方に円柱状に突出形成されている。
　【００１９】
　また、電動送風機１４の前端部には、前端の外周縁に環状のゴム製支持体４５が嵌合され、後端部のモータヘッド４３には、ゴム製の緩衝体４６がモータヘッド４３を覆うように取り付けられている。
　【００２０】
　一方、上部ケース２ｂの下面には、下方に向かって突出しゴム製支持体４５を介してファンカバー４２を位置決め固定する上リブ前部４８、および、この上リブ前部４８より後方に位置して略平行に下方に向けて突出し下端部が緩衝体４６を介して電動部４１のモータヘッド４３を挟持固定する上リブ後部４９がそれぞれ突出形成されている。
　【００２１】
　さらに、下部ケース２ａの上面には、上リブ前部４８および上リブ後部４９に向けてそれぞれ対向して上方に向けて突出し、上端部にてファンカバー４２を固定する下リブ前部５０、および、上端部が電動部４１のモータヘッド４３を挟持固定する下リブ後部５１がそれぞれ突出形成されて、電動送風機１４が固定されている。
　【００２２】
　なお、電動送風機１４の前端側はゴム製支持体４５により、電動送風機１４の吸気口３８が空気とともに吸引した塵埃を集塵する集塵袋１７を設けた集塵室１３に連通孔１１を介して気密に連通している。
　【００２３】
　また、図１に示すように、電動送風機室１４の上部には回路室５３が区画形成され、この回路室５３内には、電動送風機１４の駆動状態を制御する制御手段を搭載した回路基板５４が配設されている。そして、回路基板５４には、図示しない実装された回路部品を放熱させる放熱板５５が取り付けられ、この放熱板５５は断面略Ｌ字状に折曲形成され、下部が電動送風機室１５の負圧側に位置するようにシール部材５６にて気密に配設されている。さらに、回路基板５４には、圧力センサ５７が設けられ、電動送風機室１５の負圧側の負圧を検知するようになっている。
　【００２４】
　一方、電気掃除機本体１内には、電動送風機室１５の後方に位置して、排気室６１が区画形成され、電気掃除機本体１の上部ケース２ｂの後側上部には、排気室６１を介して電動送風機１４の図示しない排気孔に連通する排気孔６２が、上部ケース２ｂの後側に開口形成されている。そして、この排気室６１内には、第１の補助集塵フィルタ２１と同様の０．３μｍ以上０．５μｍ以下の塵埃の捕捉性が６０％以上９０％以下の高性能フィルタ６３を備えた第２の補助集塵フィルタ６４が着脱自在に配設されている。なお、この第２の補助集塵フィルタ６４は、第１の補助集塵フィルタ２１の高性能フィルタ３６の捕捉性より低い、例えば０．３μｍ以上０．５μｍ以下の塵埃の捕捉性が５０％のものを用いる。これは、集塵袋１７にてほとんど捕捉され集塵袋１７にて捕捉されなかった少量の微細な塵埃を第１の補助集塵フィルタ２１にて捕捉するため、排気室６１に流入する空気にはほとんど塵埃が混入しておらず、高い捕捉性の高性能フィルタ６３を用いることによる通気性の低下により吸引効率が低下するとともに、電動送風機室１５の正圧側の正圧が高くなり、排気室６１に流入した空気が第２の補助集塵フィルタ６４を通らずに本体ケース２の隙間などから微細な集塵とともに排気される問題の方が大きくなるため、第２の補助集塵フィルタ６４は、第１の補助集塵フィルタ２１の捕捉性より低い、例えば０．３μｍ以上０．５μｍ以下の塵埃の捕捉性が５０％のものを用いることが好ましい。
　【００２５】
　一方、本体ケース２の前側略中央には、図１および図２に示すように、ホース７０を着脱自在に接続する吸込部７１が設けられ、この吸込部７１は、内側開口７２と外側開口７３とが相対向されて形成されている。また、内側開口７２および外側開口７３に対向する中間には、円筒形状の吸込口７４が形成されている。この吸込口７４は、前部が電気掃除機本体１の前方へ開口しているとともに、後部が集塵室１３へ開口している。さらに、吸込部７１には、吸込口７４を開閉自在に閉塞するシャッタ７６が摺動自在に支持されている。
　【００２６】
　そして、ホース７０は、可撓性を有するホース体７７の一端に電気掃除機本体１の吸込部７１に嵌合接続される接続管７８を有し、ホース体７７の他端に後方に向けて分岐する形状の把持部７９を有し、この把持部７９の先端には、延長管８０を介して吸込口本体８１などが取り付けられる。また、把持部７９には、電気掃除機本体１内の電動送風機１４および吸込口本体８１内に配設された図示しない回転清掃体などを回転させる電動機の駆動を設定する操作部８２が設けられている。
　【００２７】
　次に、上記実施の一形態の動作について説明する。
　【００２８】
　通常の掃除時には、蓋体４を閉じておき、図示しない電源コードを介して電力を供給し、シャッタ７６を摺動させて吸込口７４を開く。このシャッタ７６を開いた状態で、ホース７０や延長管８０、吸込口本体８１を適宜接続し、ホース７０の把持部７９の操作部８２にて適宜電動送風機１４および電動機を駆動状態を設定し、供給された電力で電動送風機１４および電動機を所定の駆動状態で駆動させて掃除を行う。この掃除により、ホース７０を介して吸込口７４から空気とともに塵埃が吸い込まれ、電気掃除機本体１の集塵室１３に導かれて、集塵袋１７内に捕捉される。
　【００２９】
　なお、電動送風機１４の駆動により、電動送風機１４の吸引側の負圧が増大し、第１の補助集塵フィルタ２１のフィルタ体２３が枠体２２内を電動送風機１４側に摺動移動する。この移動により、フィルタ体２３の補強枠３１の気密部材３５が隔壁１２に密着し、集塵室１３内の空気が確実に高性能フィルタ３６を通過するので、集塵室１３内の集塵袋１７にて捕捉されなかった微細な塵埃も捕捉でき、電気掃除機本体１外に排出することを防止できる。
　【００３０】
　そして、この集塵袋１７を通過した微細な塵埃を有する空気は、第１の補助集塵フィルタ２１を通って連通孔１１から電動送風機１４の吸気口３８に吸い込まれる。この第１の補助集塵フィルタ２１の流通の際、集塵袋１７にて捕捉されなかった微細な集塵がほとんど捕捉される。そして、電動送風機１４の吸気口３８から吸引された空気は、電動送風機１４内を通って電動送風機１４の図示しない排気孔から排気室６１に排気される。さらに、この排気室６１に流入した空気は、第２の補助集塵フィルタ６４を通って排気孔６２から電気掃除機本体１外の外気へ排気風として排出される。
　【００３１】
　そして、掃除中に吸込口７４やホース７０、延長管８０、吸込口本体８１などに吸引した塵埃などが閉塞した場合、電動送風機１４の吸引側の負圧が増大し、この負圧の増大を圧力センサ５７が検知して回路基板５４に搭載された制御手段にて電動送風機１４の駆動を例えば所定時間高い出力にさせる制御を行うとともに、図示しないレベル表示器などの表示手段に表示し、閉塞する塵埃を取り除く。また、集塵袋１７が捕捉した塵埃でいっぱいになると、同様に電動送風機１４の吸引側の負圧が増大する。このため、塵埃が閉塞していないにもかかわらず圧力センサ５７が負圧の増大を検知した場合には、掃除作業者は集塵袋１７がいっぱいになったものと判断し、掃除を中断して集塵袋１７を交換する。
　【００３２】
　さらに、塵埃が閉塞しておらず、集塵袋１７を交換した後でも圧力センサ５７が負圧の増大を検知した場合には、第１の補助集塵フィルタ２１の高性能フィルタ３６が目詰まりしているためである。このため、圧力センサ５７を電動送風機室１５の負圧側に配設することにより、塵埃の閉塞や集塵袋１７の集塵状況のほかに、第１の補助集塵フィルタ２１の高性能フィルタ３６の目詰まりをも検出できる。
　【００３３】
　そして、高性能フィルタ３６，６３はポリプロピレン製で厚紙製の補強枠３１に取り付けられているため、目詰まりした高性能フィルタ３６，６３は、補強枠３１ごと枠体２２から取り外して焼却処分することができ、ごみの発生を低減できる。
　【００３４】
　上記実施の一形態によれば、電動送風機１４の負圧側である電動送風機室１５と集塵室１３との間に、０．３μｍ以上０．５μｍ以下の塵埃を６０％以上９０％以下の割合で捕捉可能な帯電繊維からなる高性能フィルタ３６を設けたため、吸込口７４から吸い込まれ集塵室１３内の集塵袋１７にて捕捉されなかった微細な塵埃を含む空気は確実に高性能フィルタ３６を流通するため、例えば電動送風機室１５内や排気室６１内の正圧が高くなることによる本体ケース２の繋ぎ目や図示しない電源コードが挿通されるコード口などから微細な塵埃を含む空気が排気されることがなく集塵効率を向上できる。そして、高性能フィルタ３６，６３は帯電繊維にて形成された不織布を折曲して形成したもので、０．３μｍ以上０．５μｍ以下の塵埃を６０％以上９０％以下の割合で捕捉できる高い捕捉性でも通気性が高く、吸引効率の低下が少なく、掃除効率を向上できる。
　【００３５】
　また、排気室６１内に排気孔６２を覆って０．３μｍ以上０．５μｍ以下の塵埃を６０％以上９０％以下の割合で捕捉可能な帯電繊維を含む高性能フィルタ６３を設けたため、電動送風機１４の正圧側にも高性能フィルタ６３が配設されているので、さらに集塵効率を向上でき、吸込口７４から吸い込んだ塵埃は電気掃除機本体１外に排出されずほとんど捕捉できる。
　【００３６】
　【発明の効果】
　請求項１記載の電気掃除機によれば、電動送風機室と集塵室との間の電動送風機の負圧側に、０．３μｍ以上０．５μｍ以下の塵埃を６０％以上９０％以下で捕捉する帯電繊維を含む高性能フィルタを設けたため、吸込口から吸い込まれ集塵袋にて捕捉されない微細な塵埃は確実に高性能フィルタを通るから、従来のように電動送風機室から正圧側の圧力が高くなりケース体の繋ぎ目や電源コードが挿通されるコード口などから微細な塵埃を含む空気が排気されることなく集塵効率を向上できるとともに、高性能フィルタは帯電繊維を含んでいるため、集塵性能が高く、０．３μｍ以上０．５μｍ以下の塵埃を６０％以上９０％以下の高い捕捉性を有したものでも吸引効率の低下を抑制でき、掃除効率を向上でき、さらに、高性能フィルタまたは高性能フィルタを電動送風機室と集塵室との間に装着する枠体のいずれか一方に連通孔に対向して下流側に気密部材を設けたため、高性能フィルタを容易に装着できるとともに、電動送風機の負圧により高性能フィルタが気密部材を挟むように連通孔に向けて密着するので、確実に集塵室からの空気を高性能フィルタに通過でき、集塵効率を向上できる。
　【００３７】
　請求項２記載の電気掃除機によれば、請求項１記載の電気掃除機に加え、高性能フィルタをポリプロピレンにて形成し、周縁に紙製の補強枠を設けたため、高性能フィルタの着脱が補強枠により容易にできるとともに、高性能フィルタの寿命後は、枠体から容易に取り外しでき焼却処分ができ、ごみの発生を低減できる。
　【００３８】
　請求項３記載の電気掃除機によれば、
電動送風機室と集塵室との間の電動送風機の負圧側に、０．３μｍ以上０．５μｍ以下の塵埃を６０％以上９０％以下で捕捉する帯電繊維を含む高性能フィルタを設けたため、吸込口から吸い込まれ集塵袋にて捕捉されない微細な塵埃は確実に高性能フィルタを通るから、従来のように電動送風機室から正圧側の圧力が高くなりケース体の繋ぎ目や電源コードが挿通されるコード口などから微細な塵埃を含む空気が排気されることなく集塵効率を向上できるとともに、高性能フィルタは帯電繊維を含んでいるため、集塵性能が高く、０．３μｍ以上０．５μｍ以下の塵埃を６０％以上９０％以下の高い捕捉性を有したものでも吸引効率の低下を抑制でき、掃除効率を向上でき、さらに、高性能フィルタまたは高性能フィルタを電動送風機室と集塵室との間に装着する枠体のいずれか一方に連通孔に対向して下流側に気密部材を設けたため、高性能フィルタを容易に装着できるとともに、電動送風機の負圧により高性能フィルタが気密部材を挟むように連通孔に向けて密着するので、確実に集塵室からの空気を高性能フィルタに通過でき、集塵効率を向上できる。また、
　【００３９】
　請求項４記載の電気掃除機によれば、
電動送風機室と集塵室との間の電動送風機の負圧側に、０．３μｍ以上０．５μｍ以下の塵埃を６０％以上９０％以下で捕捉する帯電繊維を含む高性能フィルタを設けたため、吸込口から吸い込まれ集塵袋にて捕捉されない微細な塵埃は確実に高性能フィルタを通るから、従来のように電動送風機室から正圧側の圧力が高くなりケース体の繋ぎ目や電源コードが挿通されるコード口などから微細な塵埃を含む空気が排気されることなく集塵効率を向上できるとともに、高性能フィルタは帯電繊維を含んでいるため、集塵性能が高く、０．３μｍ以上０．５μｍ以下の塵埃を６０％以上９０％以下の高い捕捉性を有したものでも吸引効率の低下を抑制でき、掃除効率を向上でき、さらに、高性能フィルタまたは高性能フィルタを電動送風機室と集塵室との間に装着する枠体のいずれか一方に連通孔に対向して下流側に気密部材を設けたため、高性能フィルタを容易に装着できるとともに、電動送風機の負圧により高性能フィルタが気密部材を挟むように連通孔に向けて密着するので、確実に集塵室からの空気を高性能フィルタに通過でき、集塵効率を向上できる。また、
【図面の簡単な説明】
　【図１】
　本発明の電気掃除機の実施の一形態の電気掃除機本体を示す断面図である。
　【図２】
　同上電気掃除機本体の外観を示す斜視図である。
　【図３】
　同上枠体を示す断面図である。
　【図４】
　同上平面図である。
　【図５】
　同上底面図である。
　【図６】
　同上フィルタ体を示す断面図である。
　【図７】
　同上一部を切り欠いた平面図である。
　【符号の説明】
　　１　　電気掃除機本体
　１１　　連通孔
　１３　　集塵室
　１４　　電動送風機
　１５　　電動送風機室
　１７　　集塵袋
　２２　　枠体
　３１　　補強枠
　３５　　気密部材
　３６，６３　　高性能フィルタ
　５７　　圧力センサ
　６１　　排気室
　６２　　排気孔
　７４　　吸込口